(57)【要約】【課題】冷蔵庫の機能性と意匠性とを同時に向上させる。【解決手段】前面に開口部を有し、断熱性能を備える箱本体と、左右方向に第一扉１１１と第二扉１２１とを備える冷蔵庫１００であって、第一扉１１１は、自由端側端部の前側に上端部から下端部にわたって設けられる切欠部１７０と、切欠部１７０に面する前面と、自由端側端面とを一体に覆い、上端部から下端部にわたって設けられる樹脂製の被覆部材１０１とを備え、被覆部材１０１は、切欠部１７０に面する自由端側端面部であって、上下方向の中間部に、第一扉１１１の回動軸方向に窪み、第一扉１１１を開閉する際に手指が挿入される凹陥部１７２を備える。【選択図】図１
2010203743.tif 000002
【特許請求の範囲】
【請求項１】
前面に開口部を有し、断熱性能を備える箱本体と、
前記箱本体の内方を左右に区画することで第一貯蔵室と前記第一貯蔵室の幅よりも小さな幅の第二貯蔵室とを形成する区画壁と、
前記第一貯蔵室を回動することにより開閉可能に塞ぎ、前記箱本体の側壁前方に上下方向に延びる回動軸を有する第一扉と、
前記第二貯蔵室を回動することにより開閉可能に塞ぎ、前記箱本体の側壁前方に上下方向に延びる回動軸を有する第二扉とを備える冷蔵庫であって、
前記第一扉は、
自由端側端部の前側に上端部から下端部にわたって設けられる切欠部と、
前記切欠部に面する前面と、前記切欠部に面する自由端側端面とを一体に覆い、上端部から下端部にわたって設けられる樹脂製の被覆部材とを備え、
前記被覆部材は、前記切欠部に面する自由端側端面部であって、上下方向の中間部に、前記第一扉の回動軸方向に窪み、前記第一扉を開閉する際に手指が挿入される凹陥部を備える
冷蔵庫。
【請求項２】
前記第一扉はさらに、
前記被覆部材と前記第一扉の内部から係合し、前記被覆部材を補強する、上端部から下端部にわたって設けられる補強部材を備える
請求項１に記載の冷蔵庫。
【請求項３】
前記被覆部材は、複数の部材を上下方向に接合して形成される
請求項１または請求項２に記載の冷蔵庫。
【請求項４】
前記第一扉はさらに、
前記複数の部材からなる被覆部材と前記第一扉の内部から係合し、前記被覆部材を一体に保持する、上端部から下端部にわたって設けられる保持部材を備える
請求項３に記載の冷蔵庫。
【請求項５】
さらに、前記被覆部材の前面を覆う化粧部材を備える
請求項１に記載の冷蔵庫。
【請求項６】
前記第一扉はさらに、
前記第一扉の上端部を覆い、前記被覆部材と係合する上端部材と、
前記第一扉の下端部を覆う下端部材と
を備える請求項１に記載の冷蔵庫。
【請求項７】
前記被覆部材の下端部と、前記下端部材の一部とは相互に重なり合うように配置される
請求項６に記載の冷蔵庫。
【発明の詳細な説明】
【技術分野】
【０００１】
本願発明は、冷蔵庫に関し、特に、左右に二つの貯蔵室を備え、それぞれの貯蔵室を開閉可能に塞ぐ二つの扉を備える冷蔵庫に関する。
【背景技術】
【０００２】
従来、縦長の直方体形状の冷蔵庫であって、幅方向の中間部を壁で区切り、左右で異なる種類の貯蔵室が設けられる冷蔵庫がある。このような冷蔵庫は、一方の貯蔵室が冷蔵室として機能し、他方の貯蔵室が冷凍室として機能しており、冷蔵室の幅を冷凍室より広くすることにより、冷蔵室の貯蔵容積を冷凍室より大きくしている。この冷蔵庫は、冷蔵室を開閉するための扉と、冷凍室を開閉するための扉との二つの扉を備える。これら二つの扉は、大型で、開閉に際し大きな力が必要であることから、扉にはしっかりと把持できる取手が扉の前面から突出した状態で設けられている（例えば特許文献１の図１参照）。
【特許文献１】特開２００３−２０７２６３号公報
【発明の開示】
【発明が解決しようとする課題】
【０００３】
ところが、取手が冷蔵庫の前面から突出していると、取手と腕などとが接触して使用者に不快な思いをさせる場合もある。また、冷蔵庫は台所に設置される場合が多く、台所における作業中に取手が邪魔になることがある。
【０００４】
さらに、取手が冷蔵庫全体の意匠に大きな影響を与え、冷蔵庫の意匠を大きく変化させることが困難である。
【０００５】
そこで、本願の発明者らは、扉を開閉するための突出した取手のない冷蔵庫を別途提案している。さらに、本願発明者らは鋭意実験と研究を重ねた結果、突出した取手のない扉であって、扉の開閉の手掛かりとなる部分やその周辺についてさらに好ましい態様を見いだすに至った。
【０００６】
本願発明は上記知見に基づきなされたものであり、冷蔵庫としての扉の性能に影響を与えることなく、組立や製造が容易で意匠的な変化を容易に付与することのできる扉を備えた冷蔵庫の提供を目的とするものである。
【課題を解決するための手段】
【０００７】
上記目的を達成するために、本願発明にかかる冷蔵庫は、前面に開口部を有し、断熱性能を備える箱本体と、前記箱本体の内方を左右に区画することで第一貯蔵室と前記第一貯蔵室の幅よりも小さな幅の第二貯蔵室とを形成する区画壁と、前記第一貯蔵室を回動することにより開閉可能に塞ぎ、前記箱本体の側壁前方に上下方向に延びる回動軸を有する第一扉と、前記第二貯蔵室を回動することにより開閉可能に塞ぎ、前記箱本体の側壁前方に上下方向に延びる回動軸を有する第二扉とを備える冷蔵庫であって、前記第一扉は、自由端側端部の前側に上端部から下端部にわたって設けられる切欠部と、前記切欠部に面する前面と、前記切欠部に面する自由端側端面とを一体に覆い、上端部から下端部にわたって設けられる樹脂製の被覆部材とを備え、前記被覆部材は、前記切欠部に面する自由端側端面部であって、上下方向の中間部に、前記第一扉の回動軸方向に窪み、前記第一扉を開閉する際に手指が挿入される凹陥部を備えることを特徴とする。
【０００８】
これにより、扉の開閉の為に手指が挿入される凹陥部が樹脂により形成されるため、凹陥部の形状を任意、かつ、容易に設計し、実現することが可能となる。また、切欠部に面する前面と自由端側端面とを一体に覆う被覆部材に凹陥部が設けられているため、扉の製造に発生する断熱材の発泡圧力に樹脂製の被覆部材が充分に抗することが可能となる。
【０００９】
前記第一扉はさらに、前記被覆部材と前記第一扉の内部から係合し、前記被覆部材を補強する、上端部から下端部にわたって設けられる補強部材を備えることが好ましい。
【００１０】
これにより、高い強度の被覆部材を製造する必要が無くなり、被覆部材の設計の自由度を向上させることが可能となる。また、見えない部分から被覆部材を補強するため、補強部材は強度のみを追求することができるため、当該補強部材の形状や材質などについても事由に設計することが可能となる。
【００１１】
また前記被覆部材は、複数の部材を上下方向に接合して形成されることが好ましい。
これによれば、例えば、扉の上下方向が長い場合でも、各部材は短くできるため容易に被覆部材を製造することが可能となる。また、各部材のハンドリングや補完をも容易にすることが可能となる。また、中間に配置される部材に凹陥部を設けるなど各部材に異なる機能を担わせることができ、設計の自由度を向上させることが可能となる。
【００１２】
前記第一扉はさらに、前記複数の部材からなる被覆部材と前記第一扉の内部から係合し、前記被覆部材を一体に保持する、上端部から下端部にわたって設けられる保持部材を備えることが好ましい。
【００１３】
これによれば、扉の製造に当たって、保持部材により各部材が結合した状態で一体として取り扱うことが可能となり、扉を容易に製造することが可能となる。また、扉を製造する際の断熱材の発泡圧力によって各部材が分離することを防止できる。扉が完成した状態においては、保持部材の上下方向の結合を維持することができ、扉の強度を向上させることが可能となる。
【００１４】
尚、前記補強部材と保持部材とを一つの部材で実現してもかまわない。すなわち、補強部材が各部材を保持してもよく、逆に、保持部材が被覆部材の強度を補強してもかまわない。
【００１５】
さらに、前記被覆部材の前面を覆う化粧部材を備えることが好ましい。
これにより、冷蔵庫の意匠性を向上させることが可能となる。
【００１６】
前記第一扉はさらに、前記第一扉の上端部を覆い、前記被覆部材と係合する上端部材と、前記第一扉の下端部を覆う下端部材とを備えることが好ましい。
【００１７】
これにより、温度変化に対し伸び縮みの少ない樹脂製の被覆部材に対し、扉を構成する他の部材（例えば表面の金属板）が温度により大きく変化した場合でも被覆部材が引っ張られて歪んだり損傷を受けることを回避することが可能となる。
【００１８】
前記被覆部材の下端部と、前記下端部材の一部とは相互に重なり合うように配置されることが好ましい。
【００１９】
これにより、下端部材に対し、扉の他の部分が伸び縮みすることによって被覆部材の位置が上下にずれたとしても、下端部材と被覆部材との間に隙間が発生することを防止できる。従って、冷蔵庫の意匠性を維持することが可能となる。
【発明の効果】
【００２０】
本願発明によれば、前面に突出する取手の無い冷蔵庫を提供することができる。
【発明を実施するための最良の形態】
【００２１】
次に、本願発明にかかる冷蔵庫の実施の形態を、図面を参照しつつ説明する。
図１は、冷蔵庫の外観を示す斜視図である。
【００２２】
図２は、第一扉と第二扉とが開けられた冷蔵庫の外観を示す斜視図である。
これらの図に示すように、冷蔵庫１００は、箱本体１５０と、区画壁１５３と、第一扉１１１と、第二扉１２１と、第三扉１１２と、貫通孔１１３と、第三扉１１２と、第四扉１２２と、切欠部１７０と、インターフェース装置１７１と、凹陥部１７２と、第二凹陥部１７３とを備えている。
【００２３】
箱本体１５０は、前面が開口した箱体であり、冷蔵庫１００の内方と外方との熱の出入りを遮断する断熱性能を備えている。
【００２４】
区画壁１５３は、箱本体１５０の内方を左右に区画する壁である。本実施の形態の場合、箱本体１５０の内方で区画壁１５３の右側は、第一貯蔵室１５１であり、冷蔵室となっている。一方、箱本体１５０の内方で区画壁１５３の左側は、第二貯蔵室１５２であり、冷蔵室よりも幅の狭い冷凍室となっている。区画壁１５３は、冷蔵室と冷凍室とを区画する壁であり断熱性能を備えている。
【００２５】
貫通孔１１３は、第一扉１１１を厚さ方向に貫通する孔である。貫通孔１１３は、第一扉１１１を開けることなく、第一扉１１１の後方に貯蔵されている貯蔵物を取り出し、また、第一扉１１１の後方に貯蔵するために貯蔵物を差し入れるための孔である。
【００２６】
第三扉１１２は、貫通孔１１３を開閉自在に塞ぐ扉である。本実施の形態の場合、第三扉１１２は、貫通孔１１３の下端縁に左右方向に延びる回動軸を中心として回動するように、ヒンジ（図示せず）によって第一扉１１１に取り付けられている。また、第三扉１１２は、前方から見た場合ほぼ正方形であり（角は丸められている）、第三扉１１２の下端縁部に前記回動軸が通っている。
【００２７】
第四扉１２２は、冷蔵庫１００の内方から供給される氷などを受け取る受け取り口１２３を開閉自在に塞ぐ扉である。
【００２８】
図３は、第一扉のみを示す斜視図である。
第一扉１１１は、箱本体１５０に向かって右側の開口部分を開閉自在に塞ぐ扉である。本実施の形態の場合、第一扉１１１は、箱本体１５０の右側の壁の前方に上下方向に延びる回動軸を中心として回動するように、ヒンジ（図示せず）によって箱本体１５０に取り付けられている。また、第一扉１１１は、前方から見た場合長方形であり、第一扉１１１の右端縁部に前記回動軸が通っている。
【００２９】
図４は、第一扉の切欠部近傍を水平方向に切断した断面を模式的に示す図である。
同図に示すように、第一扉１１１は、空間として存在する切欠部１７０と、凹陥部１７２とを備えている。また、第一扉１１１は、被覆部材１０１と、補強部材（保持部材）１０２と、化粧部材１０３と、内壁１０４と、外壁１０５と、断熱材１０６とを備えている。
【００３０】
切欠部１７０（同図中一点鎖線で示す部分）は、第一扉１１１の自由端側端部の前側、すなわち、第一扉１１１の回動軸１１５の幅方向の反対側の前側に設けられており、上下方向に延びて配置される空間である。本実施の形態の場合、切欠部１７０は、四角柱形状となっており、第一扉１１１の上下方向全体にわたって設けられている。切欠部１７０の幅は、人の手指が挿入可能で、挿入された手指を凹陥部１７２に挿入するために手指を曲げるのに十分であり、かつ、凹陥部１７２に手指を挿入して第一扉１１１を開ける際に、第二扉１２１の自由端縁に手指が当たらない長さに設定されている。
【００３１】
なお、切欠部１７０は、実際に存在していた第一扉１１１の自由端側端部を取り除いて形成する必要はなく、第一扉１１１を形成した結果、切欠部１７０が創出されてもかまわない。
【００３２】
このように、比較的幅の広い第一扉１１１に切欠部１７０を設ければ、扉を閉ざした状態の冷蔵庫１００を正面から見た場合、似通った幅の２枚の扉が左右対称に配置されているような印象をユーザに与え、冷蔵庫１００の意匠性を向上させることが可能となる。
【００３３】
また、切欠部１７０が区画壁１５３の端部近傍に存在するため、第一扉１１１の厚さが薄くなっても、第一扉１１１全体の断熱性能の低下を可及的に抑止することが可能となる。
【００３４】
凹陥部１７２は、第一扉１１１の自由端側端面部に、切欠部１７０から第一扉１１１の回動軸１１５方向に窪んだ状態で設けられる部分であり、被覆部材１０１によって形成されている。凹陥部１７２は、人の手指が挿入できる幅を備え、かつ、人の手指の第二関節程度まで挿入できる深さを備えている。
【００３５】
被覆部材１０１は、切欠部１７０に面する前面ｆと、切欠部１７０に面する自由端側端面ｅとを一体に覆い、第一扉１１１の上端部から下端部にわたって設けられる樹脂製の部材である。また、被覆部材１０１は、切欠部１７０に面する自由端側端面部であって、上下方向の中間部に、第一扉１１１の回動軸方向に窪み、第一扉１１１を開閉する際に手指が挿入される凹陥部１７２を備えている。
【００３６】
また、被覆部材１０１は、第一挿入部１３１と、第二挿入部１３２と、第三挿入部１３３とを備えている。
【００３７】
第一挿入部１３１は、化粧部材１０３の端部が挿入されて被覆部材１０１と化粧部材１０３とを接合する部分である。
【００３８】
第二挿入部１３２は、外壁１０５の端部が挿入されて被覆部材１０１と外壁１０５とを接合する部分である。
【００３９】
第三挿入部１３３は、補強部材１０２の端部が挿入されて被覆部材１０１と補強部材１０２とを接合する部分である。
【００４０】
図５は、組み立てられる前の被覆部材を示す斜視図である。
図６は、組み立てられた後の被覆部材を示す斜視図である。
【００４１】
これらの図に示すように、本実施の形態において、被覆部材１０１は、第一被覆部材１４１と、第二被覆部材１４２と、第三被覆部材１４３の三つの部材に分割されている。
【００４２】
第一被覆部材１４１は、被覆部材１０１の中の最上部を構成する部材であり、冷蔵庫１００をコントロールするインターフェース装置を収容するインターフェース収容部材１４４を取り付けるための取付孔１４５を備えている。第一被覆部材１４１は、切欠部１７０を埋めるようにして切欠部１７０に面する前面と、自由端側端面とを一体に覆っている。
【００４３】
第二被覆部材１４２は、被覆部材１０１の中間部を構成する部材であり、凹陥部１７２が設けられる部材である。なお、図４に示す断面図は第二被覆部材１４２の断面を示している。
【００４４】
第三被覆部材１４３は、被覆部材１０１の中の最下部を構成する部材である。
なお、第二被覆部材１４２と第三被覆部材１４３の前面には化粧部材１０３が取り付けられるものとなっている。第三被覆部材１４３は、切欠部１７０を埋めるようにして切欠部１７０に面する前面と、自由端側端面とを一体に覆っている。
【００４５】
補強部材１０２は、被覆部材１０１と第一扉１１１の内部から係合し、被覆部材１０１を補強する部材である。補強部材１０２は、図６に示すように、第一扉１１１の上端部から下端部にわたって一体に設けられ、複数箇所で被覆部材１０１と係合している。本実施の形態の場合、補強部材１０２は金属製のＣチャンネルであり、被覆部材１０１に設けられる凹陥部１７２の三方を取り囲むように配置されている。これにより、第一扉１１１を開ける際に、凹陥部１７２に挿入された手指から受ける力を補強部材１０２が受け止めることができる。
【００４６】
また、補強部材１０２は、被覆部材１０１と係合することで複数の部材（第一被覆部材１４１、第二被覆部材１４２、第三被覆部材１４３）を上下方向に接合している。すなわち、本実施の形態の場合補強部材１０２は、被覆部材１０１を一体に保持する保持部材としても機能している。
【００４７】
また、補強部材１０２は、縦に長い第一扉１１１の強度、特にねじれに対する強度の向上にも寄与している。
【００４８】
化粧部材１０３は、被覆部材１０１の前面を覆う部材である。化粧部材１０３は、冷蔵庫１００の意匠性を向上させるために被覆部材１０１の表面に取り付ける部材である。これにより、機械的な強度を被覆部材１０１に担わせて、美しさを化粧部材１０３に担わせるなど設計の自由度を向上させることが可能となる。
【００４９】
図４に示すように、内壁１０４は、第一扉１１１の後端面を覆う樹脂製の部材である。内壁１０４は、第一貯蔵室１５１に面する位置に配置され、被覆部材１０１の端部と接着剤によって接合されている。
【００５０】
外壁１０５は、第一扉１１１の前端面を覆う部材である。本実施の形態の場合、外壁１０５は、金属製の薄板であり、自由端側は折り曲げられて第一扉１１１の自由端側端面部の一部を形成している。外壁１０５の端部は、被覆部材１０１の第二挿入部１３２に挿入されて被覆部材１０１と接合されている。
【００５１】
断熱材１０６は、被覆部材１０１と内壁１０４と外壁１０５と後述する上端部材と下端部材とで囲まれる空間に充填される発泡した樹脂である。断熱材１０６は、第一扉１１１における断熱性能を担う部材である。
【００５２】
図７は、第二扉のみを示す斜視図である。
同図、及び、図１に示すように、第二扉１２１は、箱本体１５０に向かって左側の開口部分を開閉自在に塞ぐ扉である。本実施の形態の場合、第二扉１２１は、箱本体１５０の左側の壁の前方に上下方向に延びる回動軸を中心として回動するように、ヒンジ（図示せず）によって箱本体１５０に取り付けられている。また、第二扉１２１は、前方から見た場合長方形であり、第二扉１２１の左端縁部に前記回動軸が通っている。また、第二扉１２１は、第二凹陥部１７３を備えている。
【００５３】
第二凹陥部１７３は、第二扉の自由端側端面部に、切欠部１７０から第二扉１２１の回動軸１２５の方向に窪んだ状態で設けられる部分である。第二凹陥部１７３は、人の手指が挿入できる幅を備え、かつ、人の手指の第二関節まで挿入できる深さを備えている。
【００５４】
図１に示すように、インターフェース装置１７１は、被覆部材１０１に取り付けられるインターフェース収容部材１４４に収容されている。インターフェース装置１７１は、ユーザと冷蔵庫１００との間で情報を伝達する装置である。
【００５５】
例えば、インターフェース装置１７１は、冷蔵庫１００の庫内温度を表示する表示装置を備え、冷蔵庫１００側の情報をユーザに伝達する装置である。また、インターフェース装置１７１は、ユーザが冷蔵庫１００の庫内温度を調整するために、目標となる温度を設定するためのスイッチを備える。
【００５６】
図８は、第一扉１１１の組立状態を示す斜視図である。
同図に示すように、第一扉１１１は、上端部材１０７と、下端部材１０８とを備えている。
【００５７】
上端部材１０７は、第一扉１１１の上端部を構成する部材であり、第一扉１１１を組み立てた状態において、上端部材１０７と外壁１０５とは係合し、また、上端部材１０７と被覆部材１０１の上端とは係合する。従って、被覆部材１０１は、上端部材１０７を介して外壁１０５と接合されている。
【００５８】
下端部材１０８は、第一扉１１１の下端部を構成する部材であり、第一扉１１１を組み立てた状態において、下端部材１０８と外壁１０５とは係合するが、下端部材１０８と被覆部材１０１とは係合しない。
【００５９】
以上によって、外壁１０５が温度により伸び縮みした場合でも、温度の変化に対する形状の変化が比較的少ない被覆部材１０１は、外壁１０５の上端部の位置変動に追随して上下方向の位置がずれるだけとなり、外壁１０５からの応力により被覆部材１０１が歪んだり、結合が壊れたりすることを回避できる。
【００６０】
また、下端部材１０８は、端部に起ちあがり部１４６を備えている。
起ちあがり部１４６は、第一扉１１１を組み立てた状態において、被覆部材１０１の下端部の前方を覆う態様で配置される。
【００６１】
以上のように、被覆部材１０１の下端部と、下端部材１０８の一部である起ちあがり部１４６とが相互に重なり合うように配置されるので、下端部材１０８に対し、外壁１０５が伸び縮みすることによって被覆部材１０１の位置が上下にずれたとしても、下端部材１０８と被覆部材１０１との間に隙間が発生することを防止できる。従って、冷蔵庫の意匠性を維持することが可能となる。
【００６２】
第一扉１１１は、図８に示すように治具を用いて組み立てられ、空間に発泡前の断熱材１０６が充填される。次に、治具に取り付けられた内壁１０４を、蓋をするように配置する。以上の状態で、先に充填した断熱材１０６が完全に発泡し、第一扉１１１が製造される。
【００６３】
以上のように、本実施の形態の冷蔵庫１００によれば、比較的幅が広い第一扉１１１に切欠部１７０を設けることで第一扉１１１の重量を軽減することが可能となる。また、切欠部１７０を回動軸から最も遠い第一扉１１１の自由端側端部に設けているため、第一扉１１１のモーメントを低下させ、第一扉１１１の開閉を軽くすることができる。また、切欠部１７０が設けられる自由端側端部の背部には区画壁１５３が存在するため、第一扉１１１に切欠部を設けたとしても冷蔵庫１００自体の断熱性能を大きく損ねることなく第一扉１１１の軽量化を図ることが可能となる。
【００６４】
また、これらの効果を奏する切欠部１７０に面する前面と自由端側端面とを被覆部材１０１で覆い、さらに化粧部材１０３を取り付けることで、冷蔵庫１００の意匠性を向上させることが可能となる。また、被覆部材１０１は樹脂製であるため、比較的容易に複雑な形状を成型することができ、同一形状を大量に製造することも容易となる。従って、凹陥部１７２を備えた形状の被覆部材１０１も容易に製造することが可能となる。
【００６５】
従って、切欠部１７０に面する部分を覆う部材に対する設計の自由度を向上させ、機能性と意匠性とを併せ持つ被覆部材１０１を採用することが可能となる。
【産業上の利用可能性】
【００６６】
本願発明は冷蔵庫に利用でき、特に、冷凍室と冷蔵室とが左右方向に分かれた冷蔵庫に利用可能である。
【図面の簡単な説明】
【００６７】
【図１】冷蔵庫の外観を示す斜視図である。
【図２】第一扉と第二扉とが開けられた冷蔵庫の外観を示す斜視図である。
【図３】第一扉のみを示す斜視図である。
【図４】第一扉の切欠部近傍を水平方向に切断した断面を模式的に示す図である。
【図５】組み立てられる前の被覆部材を示す斜視図である。
【図６】組み立てられた後の被覆部材を示す斜視図である。
【図７】第二扉のみを示す斜視図である。
【図８】第一扉１１１の組立状態を示す斜視図である。
【符号の説明】
【００６８】
１００  冷蔵庫
１０１  被覆部材
１０２  補強部材
１０３  化粧部材
１０４  内壁
１０５  外壁
１０６  断熱材
１０７  上端部材
１０８  下端部材
１１１  第一扉
１１２  第三扉
１１３  貫通孔
１１５  回動軸
１２１  第二扉
１２２  第四扉
１２３  受け取り口
１２５  回動軸
１３１  第一挿入部
１３２  第二挿入部
１３３  第三挿入部
１４１  第一被覆部材
１４２  第二被覆部材
１４３  第三被覆部材
１４４  インターフェース収容部材
１４５  取付孔
１４６  起ちあがり部
１５０  箱本体
１５１  第一貯蔵室
１５２  第二貯蔵室
１５３  区画壁
１７０  切欠部
１７１  インターフェース装置
１７２  凹陥部
１７３  第二凹陥部
【図１】
2010203743.tif 000003
【図２】
2010203743.tif 000004
【図３】
2010203743.tif 000005
【図４】
2010203743.tif 000006
【図５】
2010203743.tif 000007
【図６】
2010203743.tif 000008
【図７】
2010203743.tif 000009
【図８】
2010203743.tif 000010